(57)【要約】【課題】液体燃料用燃焼器具において、燃焼芯の燃焼部と閉塞キャップの内面との間の空間を無くし、安定した炎を形成させる。【解決手段】液体燃料用燃焼器具１は、液体燃料を収容する燃料タンク２１を有する器具本体２と、燃料タンク２１に収容した液体燃料を毛管現象により吸い上げ先端の燃焼部３１で燃焼させる燃焼芯３と、燃焼部３１への着火を行う着火部４と、器具本体２の上端部を開閉する閉塞キャップ５と、燃料タンク２１内部と外気とを連通する通気路２２ｃとを備える。燃焼芯３の外周に、該燃焼芯３を保持する筒状のスリーブ部材３２を配設する。閉塞キャップ５が、燃焼部３１を開閉する閉塞部５３ｂを備えて、該閉塞部５３ｂが、スリーブ部材３２の先端に接触して燃焼部３１を密閉する第一のシール部材５４と通気路２２ｃを閉塞する通気路シール部５５とを備える。【選択図】図４
2007315615.tif 000002
【特許請求の範囲】
【請求項１】
液体燃料を収容する燃料タンクを有する器具本体と、前記燃料タンクに収容した液体燃料を毛管現象により吸い上げ先端の燃焼部で燃焼させる燃焼芯と、前記燃焼部への着火を行う着火部と、前記器具本体の上端部を開閉する閉塞キャップと、前記燃料タンク内部と外気とを連通する通気路とを備えてなる液体燃料用燃料器具において、
前記燃焼芯の外周に、該燃焼芯を保持する筒状のスリーブ部材が配設され、
前記閉塞キャップが、前記燃焼部を開閉する閉塞部を備えて、
該閉塞部が、前記スリーブ部材の先端に接触して前記燃焼部を密閉する第一のシール部材と前記通気路を閉塞する通気路シール部とを備えたことを特徴とする液体燃料用燃焼器具。
【請求項２】
前記器具本体に装着され、前記通気路シール部が当接する第二のシール部材を備え、該第二のシール部材が、前記スリーブ部材の周囲に配設され前記閉塞部が当接する外シール部を有することを特徴とする請求項１に記載の液体燃料用燃焼器具。
【請求項３】
前記第一のシール部材と前記第二のシール部材とが、それぞれ異なる硬度のゴム部材であることを特徴とする請求項２に記載の液体燃料用燃焼器具。
【請求項４】
前記燃焼芯の燃焼部が、前記閉塞キャップが開状態のときに前記スリーブ部材の先端部よりも突出し、前記閉塞キャップが閉状態のときに前記スリーブ部材の内部に没入することを特徴とする請求項１〜３のいずれか１項に記載の液体燃料用燃焼器具。
【請求項５】
前記燃焼芯が、スプリングによって前記突出の方向に付勢されていることを特徴とする請求項４に記載の液体燃料用燃焼器具。
【請求項６】
前記第一のシール部材の前記燃焼部側の面が球面形状を有するものであることを特徴とする請求項１〜５のいずれか１項に記載の液体燃料用燃焼器具。
【発明の詳細な説明】
【技術分野】
【０００１】
本発明は液体燃料用燃焼器具に関し、特に毛管現象により燃料を吸い上げ燃焼させる燃焼芯を備えた液体燃料用燃焼器具の燃焼芯周辺の構造に関するものである。
【背景技術】
【０００２】
一般に、喫煙具用ライター、点火器、トーチ、照明具等の燃焼器具における燃料としては、エチルアルコール等のアルコール燃料、ガソリンを含む石油ベンジン系のベンジン燃料、ブタンガス、プロパンガス等の液化ガス燃料が利用され、使用燃料の種類に応じて燃焼器具の性能、使い勝手、設計構造はそれぞれ異なった特徴を有している。例えば、アルコール等の液体燃料を使用する液体燃料用燃焼器具としては、液体燃料の表面張力を利用して、連続細孔又は細い繊維を束ねた細隙から液体燃料を毛管現象により吸い上げて、先端部で燃焼させる燃焼芯を使用して、液体燃料を燃料タンク部から燃焼部へ供給するものが知られている。
【０００３】
上記のような液体燃料用燃焼器具においては、液体燃料の揮発を防止するために、燃焼芯の先端部すなわち燃焼部が開閉可能な閉塞キャップによって密閉されたものが公知であり、特許文献１には、燃料タンク部の内部圧力と外部圧力との圧力差により液体燃料が芯を通じて漏出したり、外気を吸入して着火不良が生じたりすることを防止するために、燃料タンク部と外気とを連通する通気路を設けて前記圧力差を低減したものが開示されている。
【特許文献１】特開平１０−２２７４５７号公報
【発明の開示】
【発明が解決しようとする課題】
【０００４】
しかしながら特許文献１に開示された液体燃料用燃焼器具は、前記燃焼部と閉塞キャップの内面との間に密閉空間が存在し、閉塞キャップが閉状態のときに上記通気路の外気への開口部が前記密閉空間内に連通するか、閉塞キャップが閉じると共に通気路も密閉されるように構成されている。そのため長時間燃焼部の表面で揮発した燃料を燃焼させた後で閉塞キャップを閉じると、燃焼部が熱い状態で前記通気路と共に密閉されてしまい、燃焼部が消火し急激に温度が低下することにより密閉空間の圧力が低下するので、燃料タンク部の内部圧力と外部圧力との圧力差により燃焼部に燃料が吸い上がってしまう虞がある。
【０００５】
そして燃料が吸い上がると前記密閉空間に該吸上げられた燃料が満たされてしまうことがあり、密閉空間に燃料が満たされてしまうと、次の着火のために閉塞キャップが開けられたときに、前記燃料が周辺に広がり、そのまま着火が行われると突発的に大きい炎が形成されてしまう場合がある。また上記燃焼が行われなくても、閉塞キャップが閉じられた状態で液体燃料用燃焼器具が手で振られたりした場合にも上記と同様に燃料が満たされてしまう可能性が僅かながらある。
【０００６】
本発明は係る事情に鑑みてなされたものであり、燃焼芯の燃焼部と閉塞キャップの内面との間の空間を無くし、安定した炎を形成できる液体燃料用燃焼器具を提供することを目的とするものである。
【課題を解決するための手段】
【０００７】
本発明の液体燃料用燃焼器具は、液体燃料を収容する燃料タンクを有する器具本体と、前記燃料タンクに収容した液体燃料を毛管現象により吸い上げ先端の燃焼部で燃焼させる燃焼芯と、前記燃焼部への着火を行う着火部と、前記器具本体の上端部を開閉する閉塞キャップと、前記燃料タンク内部と外気とを連通する通気路とを備えてなる液体燃料用燃料器具において、
前記燃焼芯の外周に、該燃焼芯を保持する筒状のスリーブ部材が配設され、
前記閉塞キャップが、前記燃焼部を開閉する閉塞部を備えて、
該閉塞部が、前記スリーブ部材の先端に接触して前記燃焼部を密閉する第一のシール部材と前記通気路を閉塞する通気路シール部とを備えたことを特徴とするものである。
【０００８】
本発明の液体燃料用燃焼器具は、前記器具本体に装着され、前記通気路シール部が当接する第二のシール部材を備え、該第二のシール部材が、前記スリーブ部材の周囲に配設され前記閉塞部が当接する外シール部を有することが好ましい。
【０００９】
本発明の液体燃料用燃焼器具は、前記第一のシール部材と前記第二のシール部材とが、それぞれ異なる硬度のゴム部材であることが好ましい。
【００１０】
本発明の液体燃料用燃焼器具は、前記燃焼芯の燃焼部が、前記閉塞キャップが開状態のときに前記スリーブ部材の先端部よりも突出し、前記閉塞キャップが閉状態のときに前記スリーブ部材の内部に没入することが好ましい。
【００１１】
本発明の液体燃料用燃焼器具は、前記燃焼芯が、スプリングによって前記突出の方向に付勢されていることが好ましい。
【００１２】
本発明の液体燃料用燃焼器具は、前記第一のシール部材の前記燃焼部側の面が球面形状を有するものであることが好ましい。
【発明の効果】
【００１３】
本発明の液体燃料用燃焼器具は、燃焼芯の外周に、該燃焼芯を保持する筒状のスリーブ部材が配設され、閉塞キャップが、燃焼部を開閉する閉塞部を備えて、該閉塞部が、スリーブ部材の先端に接触して燃焼部を密閉する第一のシール部材と通気路を閉塞する通気路シール部とを備えているので、燃焼部が第一のシール部材とスリーブ部材によって密に密閉されるので、燃焼部周囲の密閉空間を略無くすことができ、燃焼部が熱い状態で通気路と共に密閉されても圧力低下空間が狭いため、燃料の吸い上げを少なくすることができ、燃焼部に液体燃料が吸い上がっても、燃料が入り込む空間がないので、燃料タンクからの液体燃料の移動を防ぐことができる。また閉塞キャップが閉じられた状態で液体燃料用燃焼器具が手で振られたりした場合にも、燃料が入り込む空間がないので、前記移動を防ぐことができる。これにより、次の着火のために閉塞キャップが開けられても、燃料が周辺に広がらないので、着火時に安定した炎を形成することができる。
【００１４】
また液体燃料用燃焼器具が、器具本体に装着され通気路シール部が当接する第二のシール部材を備え、該第二のシール部材がスリーブ部材の周囲に配設され閉塞部が当接する外シール部を有するものである場合には、通気路と燃焼部とを同時に密閉することができるので、通気路と燃焼芯からの液体燃料の揮発を防止することができる。
【００１５】
また第一のシール部材と第二のシール部材とが、それぞれ異なる硬度のゴム部材である場合には、第一のシール部材とスリーブ部材、第二のシール部材と通気シール部とが略同時に接触するときに、接触面積の違いによりそれぞれのゴム部材が受ける接触圧力が異なるため、例えば接触圧力の高い方のゴム部材が低い硬度となるようにゴム硬度に差をつけることにより、どちらか一方のシール力を弱めることなく、前記接触面において確実にシールすることができる。
【００１６】
また燃焼芯の燃焼部が、閉塞キャップが開状態のときにスリーブ部材の先端部よりも突出し、閉塞キャップが閉状態のときにスリーブ部材の内部に没入する場合には、閉塞キャップが開状態のときすなわち燃焼部に着火するときに、従来、スリーブ部材が例えば金属製であって前記突出部分がない場合等に、燃焼部がスリーブ部材の内部に位置することにより金属部分に熱を奪われてしまい炎が小さくなってしまうことがあったが、燃焼部がスリーブ部材の先端よりも突出することにより、揮発面積が増加するので着火性が向上し、炎の大きく形成することができる。
【００１７】
また第一のシール部材の燃焼部側の面が球面形状を有する場合には、閉塞キャップが閉じる際に、第一のシール部材が燃焼部に当接したときに燃焼部の先端にかかる負荷を低減することができる。
【発明を実施するための最良の形態】
【００１８】
以下、本発明の液体燃料用燃焼器具にかかる一実施の形態のライター１を、図面を参照して詳細に説明する。図１はライター１の一部分解中央断面図、図２は図１中のＡ方向から見た閉塞キャップ５の主要部斜視図、図３は図１中のＢ方向から見たライター１の主要部斜視図である。なお本実施形態のライター１は便宜上、炎が形成される側（図１中上側）を上方、図１の紙面左右方向を左右方向、紙面奥側を後方、紙面手前側を前方として説明する。
【００１９】
本実施形態のライター１（液体燃料用燃焼器具）は、図１に示す如く、液体燃料を収容する燃料タンク２１を有するライター本体２（器具本体）と、燃料タンク２１に収容された液体燃料を吸い上げて先端の燃焼部３１で燃焼させる燃焼芯３と、燃焼部３１への着火を行う着火部材４と、ライター本体２の上端部を開閉可能に密閉する閉塞キャップ５とを備えている。
【００２０】
ライター本体２は、合成樹脂で形成され、下端部が下蓋２ａで閉塞されて、内部に液体燃料を貯蔵するための燃料タンク２１を有している。左側端部の前面と後面にはそれぞれ閉塞キャップ５を枢支する枢支部２ｂが立設され、枢支部２ｂには該枢支の軸となる軸孔部２ｃが形成されている。また右側面上端は、後述のワンタッチ部材６が装着可能な切欠部２ｄを備えている。
【００２１】
燃料タンク２１の上部にはライター本体２と一体にタンク上壁２２が形成されている。なおタンク上壁２２はライター本体２と別体の蓋体であってもよい。燃料タンク２１は、内部に吸液繊維材（例えばＰＰ繊維）よりなる中綿２１ａが収容され、該中綿２１ａには、例えばイソプロピルアルコール５０ｗｔ％、ヘプタン４０ｗｔ％、テレピン油１０ｗｔ％を混合した液体燃料が注入含浸されて貯蔵されている。またタンク上壁２２の中央より左方向に所定距離離れた上端部には、後述のスリーブ部材３２が装着される装着穴２２ａが形成され、該装着穴２２ａの下面には燃焼芯３が挿通する挿通孔２２ｂが形成されている。スリーブ部材３２は液晶ポリマーにより筒状に形成され、上端が突出するように前記装着穴２２ａに装着されて、内面で燃焼芯３を保持している。なおスリーブ部材３２の材質は液晶ポリマーのような耐熱性のある熱可塑性樹脂又は熱硬化性樹脂であることが後述の分別廃棄する点等において好ましいが、亜鉛ダイカスト、黄銅等の金属であってもよい。
【００２２】
燃焼芯３は、ポリエステル繊維で構成され、上端に球面形状を有して棒状に形成され、上下方向中央より上方に下端部が小径となるように段部３ａを有している。燃焼芯３は、段部３ａを含む上部がスリーブ部材３２内に保持され、段部３ａの下端面と装着穴２２ａの底面との間に装着された樹脂製のスプリング３３によって、閉塞キャップ５が開状態のときに、上端の燃焼部３１がスリーブ部材３２の上端部よりも突出するように上方向（突出の方向）に付勢されて、装着穴２２ａ内面を上下方向に移動可能になっている。なおスプリング３３は後述のように分別廃棄するときには樹脂製であることが好ましいが、コストを低減するために金属製をであってもよい。また燃焼芯３の下端部は、挿通孔２２ｂを挿通して燃料タンク２１内に略垂直に突出し、中綿２１ａに接触して液体燃料を吸上げて、着火するときはスリーブ部材３２の上端部より突出する部分（燃焼部３１）で液体燃料を炎燃焼させる。
【００２３】
さらにスリーブ部材３２より左方のタンク上壁２２には、該上壁２２の上端から燃料タンク２１内部へ貫通して、該内部と外気とを連通する通気路２２ｃが形成されている。そしてタンク上壁２２の中央より右方には、下方に延びる収容段部２２ｄが設けられ、該段部２２ｄには中間ケース２３を介して後述の着火部４が装着される。
【００２４】
中間ケース２３は、合成樹脂で形成され、後述の着火部４が挿入される両端開口で筒状の収容部２３ａと、該収容部２３ａの上端から左方向に延びさらに下方に突出してタンク上壁２２に係合する係合部２３ｂと、収容部２３ａの右側に隣接して後述のワンタッチ部材６の一端部６ａが挿通する孔２３ｃとを有し、収容部２３ａの外周にはワンタッチ部材６の他端部６ｂが当接する当接段部２３ｄが形成されている。また中間ケース２３の前面と後面には、収容部２３ａから上方に延びる略四角形状の壁２３ｅ（図１参照）が設けられている。
【００２５】
ワンタッチ部材６は、合成樹脂で形成され、下端壁６ｃが中間ケース２３の収容部２３ａから右下方に延びる底部２３ｆに固着されて、下端壁６ｃ右側から上方に延びる一端部６ａと、左側から上方に延びる他端部６ｂとを有している。一端部６ａは上述のように孔２３ｃを挿通して上方に突出し、先端には閉塞キャップ５と係合する爪６ｄを備えてなる弾性部材であって、ライター本体２の切欠部２ｄに装着し、ライター本体２よりも外方に突出する上方をライター本体２の内側に押圧すると前記爪６ｄと閉塞キャップ５との係合が外れるようになっている。また他端部６ｂは上方の所定位置が左方に向かって若干傾斜を有し、その先端が上述の当接段部２３ｄに当接している。このようにライター本体２を含む本体側は、略樹脂により構成されている。
【００２６】
着火部４は、上述した中間ケース２３の収容部２３ａに収容されるものであって、金属で形成された筒状のスペーサ４１の内部に発火石４２及び石押スプリング４３が収容されてユニット化されている。
【００２７】
スペーサ４１は中央より上方の外周に環状に突出した環状突出部４１ａを有し、該環状突出部４１ａより下方部分は、金属板により成形されたブラケット４４の開口に挿通して装着される。ブラケット４４は、スペーサ４１が貫通する開口を有した平板部４４ａと、該平板部４４ａの左端に折曲立設された立設部４４ｂと、燃焼芯３の前後に配設された風防４４ｃとを備えている。また平板部４４ａの下面には金属板により成形された支持部材４５の上面が当接している。
【００２８】
支持部材４５は、スペーサ４１が貫通する開口を有し、下面が中間ケース２３の上面と固着する支持平板部４５ａと、該支持平板部４５ａを挟んで互いに対向するように前面及び後面に折曲され、後述の回転軸４８を回転可能に支持する支持孔（図示しない）が形成された支柱部４５ｂとを備えている。ヤスリ車４６は、周面がヤスリ面に形成されたリング状であって、前面及び後面に、外周が凹凸形状に形成され着火時に回転操作される横車４７が固着されてなり、これらは中心に金属製で棒状の回転軸４８が貫通されて一体に回転する。ヤスリ車４６の下端に発火石４２が位置し、該発火石４２は石押スプリング４３によって上方すなわちヤスリ車４６と接触する方向に付勢されている。
【００２９】
上記のようにユニット化された着火部４は、横車４７の回転操作によってヤスリ車４６が回転し、該ヤスリ車４６の周囲のヤスリ面に発火石４２の上端が、石押スプリング４３の付勢力によって押圧され燃焼部３１に向けて火花が飛ぶようになっている。なお上述のように着火部４は略金属で形成された部材によって構成されている。
【００３０】
次に閉塞キャップ５について説明する。なお閉塞キャップ５は該キャップ５が閉状態において、ライター本体２側に位置する方を下方、ライター本体２に枢支される側を左方として以下に説明する。閉塞キャップ５は、金属により形成され、閉状態のときに下側に開口５ａを有する略箱形状であり、左下端部が上述したライター本体２の軸孔部２ｃにピン５１によって回動可能に枢支され、該ピン５１には捩りバネ５２が閉塞キャップ５を開方向に付勢するように装着されている。また閉塞キャップ５の右下端の内面には内方に向かって突設された凸部５ｂが形成され、該凸部５ｂが上述したワンタッチ部材６の爪６ｄと係合することにより、閉塞キャップ５の閉状態が保持されている。また閉塞キャップ５の上端内面には、下方に向けて環状に突出する環状突部５ｃが形成されている。そして閉塞キャップ５の上端内面には、内キャップ５３が固着されている。
【００３１】
内キャップ５３は、金属により形成され、閉塞キャップ５の上端内面に沿った形状の板部５３ａと、該板部５３ａから開口５ａに向かって突出し、下端に燃焼部３１を開閉する円穴状の閉塞部５３ｂを有する筒部５３ｃ（図２参照）とを備えている。内キャップ５３の筒部５３ｃの上端には環状凹部５３ｄが形成され、該環状凹部５３ｄが上記環状突部５ｃと嵌合する。
【００３２】
本発明において特徴的なのは、閉塞部５３ｂが、スリーブ部材３２の先端に接触して燃焼部３１を密閉する第一のシール部材５４と、通気路２２ｃを閉塞する通気路シール部５５とを備えていることである（図２参照）。第一のシール部材５４は、略円柱形状のゴム部材であり、前記閉塞部５３ｂの内面に装着されている。また第一のシール部材５４の下端面（燃焼部３１側の面）は上方に向かって没設された球面形状部５４ａを有している。通気路シール部５５は、筒部５３ｃの外周壁の一部に該筒部５３ｃと一体に形成された円柱であって、閉塞キャップ５が閉状態のときに通気路２２ｃに対応する位置に、通気路２２ｃよりも大きな径を有して通気路２２ｃを密閉可能に形成されている。
【００３３】
また上述したライター本体２のタンク上壁２２には、閉塞キャップ５が閉じられるときに、前記通気路シール部５５が当接する第二のシール部材２４が備えられている。第二のシール部材２４は、図３に示す如く、上述の通気路シール部５５と略同径の円形状であって略中央に通気路２２ｃと略同径の貫通孔が形成された本シール部２４ａと、該本シール部２４ａの一部を含み、スリーブ部材３２の周囲を囲む外シール部２４ｂとを備えてなるゴム部材であり、タンク上壁２２に形成されたゴム部材装着部２２ｅ（図１参照）に通気路２２ｃと前記貫通孔とが連通して装着されている。
【００３４】
なお第一のシール部材５４と第二のシール部材２４とは、それぞれ異なる硬度のゴム部材で形成され、例えば第一のシール部材５４は硬度５５度、第二のシール部材２４は硬度７０度であって、ＮＢＲ等の材質で構成されている。これは、第一のシール部材５４とスリーブ部材３２、第二のシール部材２４と通気シール部５５とが略同時に接触するときに、接触面積の違いによりそれぞれのゴム部材が受ける接触圧力が異なるため、ゴム硬度に差をつけることにより、どちらか一方のシール力を弱めることなく、前記接触面において確実にシールさせるためである。
【００３５】
ここで図４（ａ）に閉塞キャップ５が開状態のときのライター１の中央断面図、図４（ｂ）に閉塞キャップ５が途中まで開いた状態のときのライター１の中央断面図、図４（ｃ）に閉塞キャップ５が閉状態のときのライター１の中央断面図を示す。
【００３６】
上記の構成の閉塞キャップ５は、該閉塞キャップ５が開状態のときは、図４（ａ）に示す如く、燃焼芯３の先端の燃焼部３１がスリーブ部材３２の先端部よりも突出している。この状態で、着火部４により燃焼部３１への着火が行われ、燃焼部３１表面から揮発した液体燃料が燃焼することで所定長の炎が形成される。そして燃焼芯３の下端から液体燃料が吸上げられ、揮発した液体燃料が継続して燃焼して炎も継続して形成されてライター１は使用される。使用後は、閉塞キャップ５を下方に押下げる。すると図４（ｂ）に示す如く、閉塞部５３ｂに装着された第一のシール部材５４の球面形状部５４ａが燃焼芯３の先端の燃焼部３１に当接する。このとき第一のシール部材５４が球面形状部５４ａを有しているので、燃焼部３１に当接したときに燃焼部３１の先端にかかる負荷を低減することができる。
【００３７】
次に閉塞キャップ５をさらに下方に押し上げると、図４（ｃ）に示す如く、球面形状部５４ａが燃焼部３１の先端を押圧することによって、スプリング３３が圧縮されると共に燃焼芯３が例えばＨ＝４ｍｍ程度押下げられて、スリーブ部材３２の内部に没入する。そして球面形状部５４ａがスリーブ部材３２の先端に接触して燃焼部３１を密閉すると共に、通気路シール部５５が第二のシール部材２４の本シール部２４ａに当接し通気路２２ｃを密閉する。
【００３８】
こうすることにより、燃焼部３１が第一のシール部５４とスリーブ部材３２によって密閉されるので、燃焼部３１周囲の密閉空間を略無くすことができ、燃焼部３１が熱い状態で通気路２２ｃと共に密閉されても圧力低下空間が狭いため、燃料の吸い上げを少なくすることができ、燃焼部３１に液体燃料が吸い上がっても、燃料が入り込む空間が略ないので、燃料タンク２１からの液体燃料の移動を防ぐことができる。また閉塞キャップ５が閉じられた状態でライター１が手で振られたりした場合にも、液体燃料が入り込む空間がないので、前記移動を防ぐことができる。これにより、次の着火のために閉塞キャップ５が開けられても、燃料が周辺に広がらないので、着火時に安定した炎を形成することができる。
【００３９】
そしてさらに筒部５３ｃの下端が外シール部２４ｂに当接し、上記第一のシール部５４による燃焼部３１の密閉の上から、タンク上壁２２より突出したスリーブ部材３２及び燃焼芯３の周囲を密閉する。これにより通気路２２ｃと燃焼部３１とを同時に密閉することができるので、通気路２２ｃと燃焼芯３から液体燃料が揮発するのを防止できる。
【００４０】
そして同時に閉塞キャップ５の凸部５ｂがワンタッチ部材６の爪６ｄと係合して、閉塞キャップ５がライター本体２の上端に固定され、炎は消火される。なお炎は例えばライター１の使用者が息を吹きかけること等により消火することもできる。
【００４１】
そして次にライター１を使用するときには、ワンタッチ部材６をライター本体２内部に向かって押圧して、凸部５ｂと爪６ｄとの係合を外す。すると捩りバネ５２の付勢力により閉塞キャップ５は、図４（ｂ）に示す如く、開状態になる。このとき図４（ｃ）に示す如くリーブ部材３２の内部に没入していた燃焼芯３の燃焼部３１が、スプリング３３の付勢力により、図４（ａ）（ｂ）に示す如くスリーブ部材３２の先端部から例えばＨ＝４ｍｍ程度突出する。この状態で着火部４により燃焼部３１への着火が行われ、燃焼部３１表面から揮発した液体燃料が燃焼することで炎が形成され、ライター１を使用することができる。
【００４２】
これにより、従来、スリーブ部材３２が例えば金属製であって前記突出する部分がない場合等には、燃焼部３１がスリーブ部材３２の内部に位置することにより金属部分に熱を奪われてしまい炎が小さくなってしまうことがあったが、上記のように燃焼部３１がスリーブ部材３２の先端よりも突出することにより、揮発面積が増加するので着火性が向上し、炎の大きく形成することができる。
【００４３】
またライター１は、図１に示す如く、閉塞キャップ５がピン５１の部分を折ることによりライター本体２の軸孔部２ｃから取り外すことができる。さらに着火部４を上方に引っ張ることにより、ワンタッチ部材６の他端部６ｂが当接段部２３ｄによりライター本体２の外方に向かって押圧されるので、着火部４は収容部２３ａから抜き出すことができる。
【００４４】
上述したように、閉塞キャップ５及び着火部４は略金属により構成され、それ以外のライター本体２を含む本体側は例えば略９５％が樹脂部品により構成されているので、廃棄の際に金属と樹脂とに分別することができる。
【図面の簡単な説明】
【００４５】
【図１】ライターの一部分解中央断面図
【図２】図１中のＡ方向から見た閉塞キャップの主要部斜視図
【図３】図１中のＢ方向から見たライターの主要部斜視図
【図４】閉塞キャップが開状態、途中まで開いた状態及び閉状態のときのライターの中央断面図
【符号の説明】
【００４６】
１      ライター（液体燃料用燃焼器具）
２      ライター本体（器具本体）
２１    燃料タンク
２２    タンク上壁
２２ｃ  通気路
３      燃焼芯
３１    燃焼部
３２    スリーブ部材
３３    スプリング
４      着火部
５      閉塞キャップ
５３ｂ  閉塞部
５４    第一のシール部材
５４ａ  球面形状部
５５    通気路シール部
２４    第二のシール部材
２４ａ  本シール部
２４ｂ  外シール部
【図１】
2007315615.tif 000003
【図２】
2007315615.tif 000004
【図３】
2007315615.tif 000005
【図４】
2007315615.tif 000006